(57)【要約】【課題】組立作業に含まれる複数の方向からの作業を容易に行うことを課題とする。【解決手段】組立治具は、基台部と、前記基台部に立設された第１壁部と、前記第１壁部と並列配置されることによって、前記第１壁部との間に部材保持部を形成する第２壁部と、を備え、少なくとも二箇所以上に作業台への接地面を備える。前記基台部は、前記第１壁部が立設された側と反対側に第１の接地面を備え、前記第１壁部は、前記第２壁部と対向する側の反対側に第２の接地面を備えるとともに、前記基台部が位置する側の反対側に第３の接地面を備える。【選択図】図１
2014193496.tif 000002
【特許請求の範囲】
【請求項１】
基台部と、
前記基台部に立設された第１壁部と、
前記第１壁部と並列配置されることによって、前記第１壁部との間に部材保持部を形成する第２壁部と、
を備え、少なくとも二箇所以上に作業台への接地面を備えたことを特徴とする組立治具。
【請求項２】
前記基台部は、前記第１壁部が立設された側と反対側に第１の接地面を備え、
前記第１壁部は、前記第２壁部と対向する側の反対側に第２の接地面を備えるとともに、前記基台部が位置する側の反対側に第３の接地面を備える請求項１に記載の組立治具。
【請求項３】
前記第１の接地面と、前記第１の接地面と隣り合う前記第２の接地面とに亘って設けられた指掛け凹部を備える請求項２に記載の組立治具。
【請求項４】
前記部材保持部に保持された部材に組み付けられる部品を前記部材の組み付け位置に案内する案内部を備える請求項１乃至３のいずれか一項に記載の組立治具。
【請求項５】
前記第２壁部は、締結部材を用いて前記第１壁部に取り付けられた請求項１乃至４のいずれか一項に記載の組立治具。
【請求項６】
前記部材保持部は、前記第１壁部と前記第２壁部との間に形成された保持溝であり、前記保持溝は、底部に向かうに従って幅狭となる請求項１乃至５のいずれか一項に記載の組立治具。
【請求項７】
前記部材保持部は、前記第１壁部と前記第２壁部との間に形成された保持溝であり、前記保持溝の底部に近い位置に前記保持溝の内側に突出した段部を備える請求項１乃至６のいずれか一項に記載の組立治具。
【請求項８】
前記部材保持部は、上端縁にテーパ部を備える請求項１乃至７のいずれか一項に記載の組立治具。
【請求項９】
前記第１壁部と前記第２壁部は、それぞれ外壁面に滑り止め部を備える請求項１乃至８のいずれか一項に記載の組立治具。
【発明の詳細な説明】
【技術分野】
【０００１】
本発明は、組立治具に関する。
【背景技術】
【０００２】
基本的な骨格をなす部材に他の部品を装着して組み立てる場合、部材の多方面からの組立作業が要請されることがある。また、手作業による組み立てが要請される場合に、部材や部品の種類によっては、複数の部材、部品を同時に保持しながら作業しなければならないことがある。これらの要請に応えるべく、例えば、骨格をなす部材を治具にセットして保持し、組立作業を行うことが考えられる。特許文献１には、物品として、例えばカードを保持することができるケーススタンドが開示されている。
【先行技術文献】
【特許文献】
【０００３】
【特許文献１】特開２００１−１３８７３号公報
【発明の概要】
【発明が解決しようとする課題】
【０００４】
しかしながら、前記特許文献１に開示されたケーススタンドは、元々、組立治具としての利用は想定されておらず、組立作業に求められる種々の要請に適合できない面がある。
【０００５】
そこで、本明細書開示の組立治具は、組立作業に含まれる複数の方向からの作業を容易にすることを課題とする。なお、前記課題に限らず、後述する発明を実施するための形態に示す各構成により導かれる作用効果であって、従来の技術によっては得られない作用効果を奏することも本発明の他の課題の1つとして位置付けることができる。
【課題を解決するための手段】
【０００６】
本明細書開示の組立治具は、基台部と、前記基台部に立設された第１壁部と、前記第１壁部と並列配置されることによって、前記第１壁部との間に部材保持部を形成する第２壁部と、を備え、少なくとも二箇所以上に作業台への接地面を備える。
【０００７】
作業台への複数の接地面を備えることにより、作業者は、無理な態勢を強いられることなく組立作業に含まれる複数の方向からの作業を容易に行うことができる。
【発明の効果】
【０００８】
本明細書開示の組立治具によれば、組立作業に含まれる複数の方向からの作業を容易に行うことができる。
【図面の簡単な説明】
【０００９】
【図１】図１（Ａ）は実施形態の組立治具を正面側から観た斜視図であり、図１（Ｂ）は実施形態の組立治具を背面側から観た斜視図である。
【図２】図２は実施形態の組立治具の６面図であり、（Ａ）は正面図、（Ｂ）は上面図、（Ｃ）は底面図、（Ｄ）は右側面図、（Ｅ）は左側面図、（Ｆ）は背面図である。
【図３】図３は実施形態の組立治具の分解斜視図である。
【図４】図４は実施形態の組立治具を用いて組み立てられるＰＣカードカセットの分解斜視図である。
【図５】図５はカセット本体に装着された基板の先端部を拡大して示す説明図である。
【図６】図６は実施形態の組立治具を用いて組み立てられたＰＣカードカセットの斜視図である。
【図７】図７（Ａ）は実施形態の組立治具に含まれる基台部を上面側から観た斜視図であり、図７（Ｂ）は実施形態の組立治具に含まれる基台部を底面側から観た斜視図である。
【図８】図８は実施形態の組立治具に含まれる基台部の６面図であり、（Ａ）は正面図、（Ｂ）は上面図、（Ｃ）は底面図、（Ｄ）は右側面図、（Ｅ）は左側面図、（Ｆ）は背面図である。
【図９】図９（Ａ）は実施形態の組立治具に含まれる第１壁部を正面側（第２壁部との対向面側）から観た斜視図であり、図９（Ｂ）は実施形態の組立治具に含まれる第１壁部を背面側から観た斜視図である。
【図１０】図１０は実施形態の組立治具に含まれる第１壁部の６面図であり、（Ａ）は正面図、（Ｂ）は上面図、（Ｃ）は底面図、（Ｄ）は右側面図、（Ｅ）は左側面図、（Ｆ）は背面図である。
【図１１】図１１（Ａ）は実施形態の組立治具に含まれる第２壁部を正面側から観た斜視図であり、図１１（Ｂ）は実施形態の組立治具に含まれる第２壁部を背面側（第１壁部との対向面側）から観た斜視図である。
【図１２】図１２は実施形態の組立治具に含まれる第２壁部の６面図であり、（Ａ）は正面図、（Ｂ）は上面図、（Ｃ）は底面図、（Ｄ）は右側面図、（Ｅ）は左側面図、（Ｆ）は背面図である。
【図１３】図１３（Ａ）はカセット本体を正面側から観た斜視図であり、図１３（Ｂ）はカセット本体を背面側から観た斜視図である。
【図１４】図１４はカセット本体の６面図であり、（Ａ）は正面図、（Ｂ）は上面図、（Ｃ）は底面図、（Ｄ）は右側面図、（Ｅ）は左側面図、（Ｆ）は背面図である。
【図１５】図１５（Ａ）は側部カバーを正面側から観た斜視図であり、図１５（Ｂ）は側部カバーを背面側から観た斜視図である。
【図１６】図１６は基板を裏面側から観た斜視図である。
【図１７】図１７（Ａ）は底部カバーを底面側から観た斜視図であり、図１７（Ｂ）は底部カバーを上面側から観た斜視図である。
【図１８】図１８は保持溝を拡大して示す説明図である。
【図１９】図１９（Ａ）は指掛け凹部の寸法を示す説明図であり、図１９（Ｂ）は指掛け凹部に作業者が親指を掛けた状態を示す説明図である。
【図２０】図２０（Ａ）〜（Ｃ）は作業者が指掛け凹部に親指を掛けて、第２の接地面を作業台に当接させる工程を示す説明図である。
【図２１】図２１（Ａ）〜（Ｄ）は指掛け凹部の寸法を決定する際に参照するマトリックスの例を示す説明図である。
【図２２】図２２は案内部を示す説明図である。
【図２３】図２３はＰＣカードカセットの組立手順の一部を示す説明図である。
【図２４】図２４はＰＣカードカセットの組立手順の一部を示す説明図である。
【図２５】図２５はＰＣカードカセットの組立手順の一部を示す説明図である。
【図２６】図２６は案内部上をスライドさせて基板をカセット本体に搭載する様子を示す説明図である。
【図２７】図２７は基板の先端部がレンズ収納部に差し込まれる様子を示す説明図である。
【図２８】図２８はカセット本体に基板が搭載された状態を示す説明図である。
【図２９】図２９は、第３の接地面を作業台に当接させた状態を示す説明図である。
【発明を実施するための形態】
【００１０】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されている場合がある。
【００１１】
（実施形態）
まず、組立治具１の概略構成について図１乃至図３を参照しつつ説明する。図１（Ａ）は実施形態の組立治具１を正面側から観た斜視図であり、図１（Ｂ）は実施形態の組立治具を背面側から観た斜視図である。図２は実施形態の組立治具１の６面図であり、（Ａ）は正面図、（Ｂ）は上面図、（Ｃ）は底面図、（Ｄ）は右側面図、（Ｅ）は左側面図、（Ｆ）は背面図である。図３は実施形態の組立治具１の分解斜視図である。
【００１２】
組立治具１は、基台部１０、第１壁部２１及び第２壁部３１を備える。基台部１０、第１壁部２１、第２壁部３１は、それぞれ導電性を有するＭＣナイロン製の板体である。第１壁部２１は、基台部１０に締結部材であるネジ１００を用いて立設されている。第２壁部３１は、第１壁部２１と並列配置されることによって、第１壁部２１との間に部材保持部としての保持溝５０を形成している。第２壁部３１は、第１壁部２１に対し締結部材であるネジ１００によって取り付けられるとともに、基台部１０へ立設されている。図１、図２を参照すると、組立治具１は、少なくとも二箇所以上に作業台３００への接地面を備える。具体的に、基台部１０は、第１壁部２１が立設された側と反対側に第１の接地面１１を備える。第１の接地面１１は、図２（Ｃ）に示す組立治具１の底面として現れる面である。第１壁部２１は、第２壁部３１と対向する側の反対側に第２の接地面２２を備える。第２の接地面２２は、図２（Ｆ）に示す組立治具１の背面図に現れる面である。第１壁部２１は、基台部１０が位置する側の反対側に第３の接地面２４を備える。第３の接地面２４は、図２（Ｂ）に示す組立治具１の上面図に現れる面である。なお、本実施形態では、以下に説明するように電気製品を取り扱うため、組立治具１の素材として導電性を有するＭＣナイロンを用いているが、組立の対象物によっては、他の素材を用いてもよい。
【００１３】
本実施形態の組立治具１は、三分割可能な態様であるが、治具全体を削り出し等で一体に形成してもよいし、適宜、分割可能な状態とすることもできる。例えば、基台部１０と第１壁部２１とを一体に成形し、そこへ、第２壁部３１を取り付けてもよい。また、本実施形態では、第２壁部３１を第１壁部２１に取り付けているが、第１壁部２１と第２壁部３１とを一体に形成してもよい。なお、本実施形態では、ネジを用いて第１壁部２１へ第２壁部３１を取り付けているため、第１壁部２１と第ニ壁部３１との間に形成される部材溝５０の間隔調整を行うことができる。さらに、基台部１０は、厳密に第１壁部２１や第２壁部３１と区別されることが求められるものではなく、上述の第１の接地面１１が形成された部分を基台部１０とすることができる。
【００１４】
組立治具１の各部の詳細な説明をする前に、図４乃至図６を参照してこの組立治具１を用いて組み立てられる物品の説明をする。本実施形態における組立治具１を用いて組み立てられるのは、ＰＣカードカセット６０である。ＰＣカードカセット６０は、基本的に作業者の手作業によって組み立てられる。図４は実施形態の組立治具１を用いて組み立てられるＰＣカードカセット６０の分解斜視図である。図５はカセット本体７０に装着された基板９５の先端部を拡大して示す説明図である。図６は実施形態の組立治具１を用いて組み立てられたＰＣカードカセット６０の斜視図である。
【００１５】
ＰＣカードカセット６０は、内部にＰＣカードを保持した状態で、サーバ等の電子機器の筐体に対し、抜き差しされる。ＰＣカードカセット６０は、一例であり、組立治具１は、他の構造の組立にも適用することができる。
【００１６】
ＰＣカードカセット６０は、フレーム状のカセット本体７０に装着された底部カバー８０、側部カバー９０及び基板９５を備える。カセット本体７０は、基板搭載部７２を備え、この基板搭載部７２に基板９５が装着される。このとき、図５に示すように、基板９５の先端部がカセット本体７０に設けられたレンズ収納部７３内に挿入される。レンズ収納部７３内にはレンズ７７が設けられている。レンズ７７は、入射部７７ａと点灯部７７ｂを備える。基板９５は、その先端部に設けられたセンサ素子９５ｃの位置がレンズ７７の入射部７７ａの位置と一致するようにカセット本体９５に装着される。このとき、作業者は、センサ素子９５ｃがレンズ収納部７３の天板部７３ａやレンズ７７に接触して破損させないように留意しなければならない。
【００１７】
図４を参照すると明らかなように、カセット本体７０に対し、底部カバー８０、側部カバー９０及び基板９５の取付方向は異なっている。すなわち、組立作業には、複数の方向からの取付作業が含まれている。作業者が組立作業を行う場合、通常、対象物に対し、上方から目視しつつ組立作業することが望ましい。側方から作業することは、目視しづらく、また、取り付ける部品の保持の点でも作業がし難いからである。組立治具１は、作業者のこれらの要請に応えるものである。具体的に、組立治具１は、保持溝５０に保持する部材としてカセット本体７０を選定し、保持溝５０に保持されたカセット本体７０の向きを種々変更して、底部カバー８０、側部カバー９０及び基板９５といった部品の装着を容易なものとする。各部品の組立作業時、組立治具１が備える第１の接地面１１、第２の接地面２２及び第３の接地面２４を順次作業台３００に接地させた状態とすることができる。これにより、作業者の上方から目視しながらの作業が許容される。
【００１８】
以下、このような組立治具１及びＰＣカードカセット６０について詳細に説明する。
【００１９】
図７（Ａ）、（Ｂ）及び図８（Ａ）乃至（Ｆ）を参照しつつ、基台部１０について説明する。図７（Ａ）は実施形態の組立治具１に含まれる基台部１０を上面側から観た斜視図であり、図７（Ｂ）は実施形態の組立治具１に含まれる基台部１０を底面側から観た斜視図である。図８は実施形態の組立治具１に含まれる基台部１０の６面図であり、（Ａ）は正面図、（Ｂ）は上面図、（Ｃ）は底面図、（Ｄ）は右側面図、（Ｅ）は左側面図、（Ｆ）は背面図である。基台部１０は板状の部材からなる。基台部１０は、組立治具１を立てたときにスタンドとなる部分であり、第１の接地面１１を備える。また、保持溝５０にカセット本体７０を保持した状態で組立治具１が転倒しないような寸法を有する。これにより、図２に示すように第１壁部２１及び第２壁部３１を装着した状態で、第２壁部３１よりも前面側に突出する突出部１２が形成される。
【００２０】
基台部１０は、第１壁部２１を装着するためのネジ穴１３を備える。また、切欠部１４を備える。この切欠部１４は、後に詳述する指掛け凹部４０の一部となる。
【００２１】
図９（Ａ）、（Ｂ）及び図１０（Ａ）乃至（Ｆ）を参照しつつ、第１壁部２１について説明する。図９（Ａ）は実施形態の組立治具１に含まれる第１壁部２１を正面側、すなわち、第２壁部３１との対向面側から観た斜視図であり、図９（Ｂ）は実施形態の組立治具１に含まれる第１壁部２１を背面側から観た斜視図である。図１０は実施形態の組立治具１に含まれる第１壁部２１の６面図であり、（Ａ）は正面図、（Ｂ）は上面図、（Ｃ）は底面図、（Ｄ）は右側面図、（Ｅ）は左側面図、（Ｆ）は背面図である。
【００２２】
第１壁部２１は、板状の部材であり、第１壁部２１の背面側に位置する面は、第２の接地面２２となる。第２の接地面２２は、外壁面となり、その中央部に第１凹部２２ａを備える。この第１凹部２２ａは滑り止め部に相当する。なお、滑り止め部としては、例えば、滑り止めシートを貼着する等、従来公知の滑り止め手段を採用することができる。第２の接地面２２は、第１凹部２２ａの両側に第２凹部２２ｂ及び第３凹部２２ｃを備える。第２凹部２２ｂ及び第３凹部２２ｃは、第１凹部２２ａと比較して深い。このような第２凹部２２ｂ及び第３凹部２２ｃを設けることにより、第１壁部２１の重量を軽減することができる。また、この第２凹部２２ｂ及び第３凹部２２ｃは、組立治具１を持ち上げたり、保持したりするときの摘まみ部として用いることもできる。
【００２３】
第１壁部２１は、第１凹部２２ａの下側に開放凹部２２ｄを備える。この開放凹部２２ｄは、基台部１０に設けられた切欠部１４と一体となることによって、指掛け凹部４０を形成する。指掛け凹部４０は、第１の接地面１１と、これに隣り合う第２の接地面２２とに亘って設けられ、第２の接地面２２が作業台に接している状態のときに、作業者が自らの親指２０１を差し入れることができる部分である。作業者は、親指２０１を指掛け凹部４０に差し込むことにより、組立治具１を掬いあげるように持ち上げることができる。なお、開放凹部２２ｄの奥側には、数条の細かい溝が刻まれた滑り止め部２２ｄ１が設けられている。
【００２４】
第１壁部２１は、組立治具１とされたときに第２壁部３１と対向する対向面２３を備える。この対向面２３は、第１壁部２１における第２の接地面２２の裏面側に位置する。対向面２３の上縁部２３ａには、基板搭載部７２に基板９５を搭載するときに、基板９５の案内をする案内部２３ｂが設けられている。案内部２３ｂは、保持溝５０に保持された部材であるカセット本体７０に組み付けられる部品、すなわち、基板９５をカセット本体７０の組み付け位置に案内するものである。具体的に、案内部２３ｂは、基板９５をカセット本体７０に対して斜めに供給することができる傾斜面である。対向面２３には、第２壁部３１を装着するためのネジ穴２５を備えている。
【００２５】
第１壁部２１は、基台部１０が位置する側の反対側に第３の接地面２４を備える。すなわち、第２の接地面２２と対向面２３とに挟まれた面が第３の接地面２４となる。この第３の接地面２４の高さ方向の位置は、組立作業時に、カセット本体７０に装着された基板９５が作業台３００に接触しないように設定されている。
【００２６】
第１壁部２１は、図１０（Ｃ）を参照すると、基台部１０との当接面２６を備え、当接面２６には、基台部１０に第１壁部２１を装着するためのネジ穴２７が設けられている。当接面２６は、第３の接地面２４と反対側の面となる。このように、第３の接地面２４は、基台部１０が位置する側の反対側に位置する。
【００２７】
つぎに、図１１（Ａ）、（Ｂ）及び図１２（Ａ）乃至（Ｆ）を参照しつつ、第２壁部３１について説明する。図１１（Ａ）は実施形態の組立治具１に含まれる第２壁部３１を正面側から観た斜視図であり、図１１（Ｂ）は実施形態の組立治具に含まれる第２壁部３１を背面側、すなわち、第１壁部２１との対向面側から観た斜視図である。図１２は実施形態の組立治具１に含まれる第２壁部の６面図であり、（Ａ）は正面図、（Ｂ）は上面図、（Ｃ）は底面図、（Ｄ）は右側面図、（Ｅ）は左側面図、（Ｆ）は背面図である。
【００２８】
第２壁部３１は、第１壁部２１と比較して、高さが低い。これは、保持溝５０に保持されるカセット本体７０との干渉を回避するための措置である。第２壁部３１は、第１壁部２１と対向する対向面３２を備える。対向面３２は、第１壁部２１と第２壁部３１とが対向した状態で並列配置されることによって、第１壁部２１の対向面２３とともに保持溝５０を形成する。対向面３２の底部には、保持溝の底部５１を形成する段部３２ｄを備える。このような、対向面３２は、保持溝５０の形状をその底部５１に向かうに従って幅狭とする形状を有している。具体的に、第２壁部３１は、対向面３２の上縁部に位置するテーパ部３２ａ、その下側に位置する中間部３２ｂ及び底部に近い位置に設けられ保持溝５０の内側に突出する段部３２ｃを備える。このように、保持溝５０の形状を底部５１に向かうに従って幅狭とすることにより、保持対象物であるカセット本体７０を確実に保持するとともに、容易に抜き取る状態とすることができる。なお、本実施形態では、保持溝５０の幅を徐々に変化させることによって保持対象物であるカセット本体７０を保持しているが、他の手段、例えば、板バネ等を保持溝５０内に装備して、カセット本体７０を保持するようにしてもよい。
【００２９】
第２壁部３１は、対向面３２の裏面側となる面、すなわち、図１１（Ａ）に現れた正面３３側に凹部３３ａを備える。この凹部３３ａは、凹部３３ａは滑り止め部に相当する。なお、滑り止め部としては、例えば、滑り止めシートを貼着する等、従来公知の滑り止め手段を採用することができる。
【００３０】
第２壁部３１は、第２壁部３１を第１壁部２１へ取り付けるためのネジ穴３５を備える。また、第２壁部３１は、図１２（Ｃ）を参照すると、基台部１０との当接面３６を備え、当接面３６には、基台部１０に第２壁部３１を装着するためのネジ穴３７が設けられている。
【００３１】
つぎに、図１３（Ａ）、（Ｂ）及び図１４（Ａ）乃至（Ｆ）を参照しつつ、カセット本体７０について説明する。図１３（Ａ）はカセット本体７０を正面側から観た斜視図であり、図１３（Ｂ）はカセット本体７０を背面側から観た斜視図である。図１４はカセット本体７０の６面図であり、（Ａ）は正面図、（Ｂ）は上面図、（Ｃ）は底面図、（Ｄ）は右側面図、（Ｅ）は左側面図、（Ｆ）は背面図である。
【００３２】
カセット本体７０は、フレーム状の部材である。カセット本体７０は、側板部７１を備える。側板部７１の上縁部には、基板搭載部７２を備える。基板搭載部７２は、切欠部７２ａを備える。切欠部７２ａは、基板９５との干渉、より具体的に、基板９５が備えるカードコネクタ部９５ｂとの干渉を回避するために設けられている。カセット本体７０は、一端側に箱状のレンズ収納部７３を備える。このレンズ収納部７３は、組み立てられたＰＣカードカセット６０が電子装置の筐体内に設置される際に、電子装置の筐体の外側に位置する部分である。レンズ収納部７３は、天板部７３ａを備える。天板部７３ａは、段差を有しており、その最も高い位置を頂面７３ａ１としている。この頂面７３ａ１は、カセット本体７０が組立治具１に装着されたときに、第３の接地面２４と面一の関係となる。
【００３３】
カセット本体７０は、レンズ収納部７３が設けられた側と異なる端部に掛合穴７４ａを備える掛合部７４を有している。掛合部７４は、側部カバー９０の装着に用いられる。
【００３４】
カセット本体７０の下端部７５は、側板部７１の下縁を折り返して形成されている。カセット本体７０が組立治具１に装着される場合、この下端部７５が保持溝５０の底部５１に位置することになる。すなわち、下端部７５が段部３２ｃに挟持されることによってカセット本体７０が保持溝５０に保持される。なお、下端部７５の折り返し加工により、カセット本体７０の強度を向上させることができるが、折り返し加工は必須のものではない。折り返し加工がされていない場合、下端部７５は薄くなるが、この場合、保持溝５０の寸法を調整することによって対応することができる。
【００３５】
カセット本体７０は、レンズ収納部７３の下側に、底部カバー８０を装着するための鍔状の取付ステー７６が設けられている。取付ステー７６には、ネジ穴７６ａが設けられている。
【００３６】
図１４（Ｃ）によく現れているように、カセット本体７０は、レンズ収納部７３内にレンズ７７を収納している。レンズ７７は、入射部７７ａと点灯部７７ｂを備える。入射部７７ａは、レンズ収納部７３の内側に位置しており、点灯部７７ｂは、レンズ収納部７３の外側に露出するように配置されている。点灯部７７ｂは、ＰＣカードカセット６０が電子装置の筐体に装着されたときにその外部から点灯状態が確認可能な状態とされる。
【００３７】
つぎに、図１５（Ａ）、（Ｂ）を参照しつつ、側部カバー９０について説明する。図１５（Ａ）は側部カバー９０を正面側から観た斜視図であり、図１５（Ｂ）は側部カバー９０を背面側から観た斜視図である。
【００３８】
側部カバー９０は、側板部９１を備える。側板部９１には、組立時に基板９５の下側に位置する鍔状部９２が設けられている。側板部９１には、二つの爪状部９３が設けられている。爪状部９３は、それぞれ、その先端部に鉤状部９３ａを備える。鉤状部９３ａは、組立時にカセット本体７０が備える掛合穴７４ａにそれぞれ掛合する。また、側板部９１は、爪状部９３が設けられた端部とは異なる端部に差込部９４を備える。この差込部９４は、組立時にカセット本体７０が備えるレンズ収納部７３内に差し込まれる。
【００３９】
つぎに、図１６を参照しつつ、基板９５について説明する。図１６は基板９５を裏面側から観た斜視図である。基板９５は、後端部にコネクタ９５ａを備える。また、カードコネクタ部９５ｂを備える。このカードコネクタ部９５ｂにＰＣカードが挿抜される。基板９５は、先端部にセンサ素子９５ｃを備える。センサ素子９５ｃは、上述のように、組立時にレンズ７７の入射部７７ａと一致するように配置される。
【００４０】
つぎに、図１７（Ａ）、（Ｂ）を参照しつつ、底部カバー８０について説明する。図１７（Ａ）は底部カバー８０を底面側から観た斜視図であり、図１７（Ｂ）は底部カバー８０を上面側から観た斜視図である。底部カバー８０は、底板部８１を備える。底板部８１は、ネジ穴８１ａを備える。また、底板部８１には、摺動部８１ｂが設けられている。摺動部８１ｂは、ＰＣカードカセット６０が電子装置の筐体に装着されるときに、筐体が備える案内レール部に接した状態で摺動し、ＰＣカードカセット６０の挿脱を容易にする。底部カバー８０は、底板部８１の両側に設けられた差込部８２を備える。差込部８２は、レンズ収納部７３の下端部に差し込まれる板状の部分である。
【００４１】
以上説明したように、組立治具１を用いて組み立てられるＰＣカードカセット６０は、カセット本体７０に対し、複数の部品が異なる方向から装着される。このように、組立作業に含まれる複数の方向からの作業を容易に行うことができる組立治具１の細部につき、さらに説明する。
【００４２】
まず、図１８を参照すると、第１壁部２１と第２壁部３１とが対向配置されることによって形成される保持溝５０の幅は、上側の幅Ｗ１に対して下側、すなわち、底部５１に近い側の幅Ｗ２の方が狭くなっている。このように、徐々に幅狭となる形状、いわば、全体として楔形状を備えることにより、カセット本体７０の下端部７５をスムーズに保持溝５０内に導入することができ、最終的に保持溝５０によって確実にカセット本体７０を保持することができる。特に、第２壁部３１の上縁部には、テーパ部３２ａが設けられていることから保持溝５０へカセット本体７０を導入し易くなっている。
【００４３】
図１９（Ａ）は指掛け凹部４０の寸法を示す説明図であり、図１９（Ｂ）は指掛け凹部４０に作業者が親指２０１を掛けた状態を示す説明図である。図２０（Ａ）〜（Ｃ）は作業者が指掛け凹部４０に親指２０１を掛けて、第２の接地面２２を作業台３００に当接させる工程を示す説明図である。指掛け凹部４０を設けたことにより、第２の接地面２２が作業台３００に接地した状態とすることや、これとは逆に、第２の接地面２２が作業台３００に接地した状態から組立治具１を持ち上げることが容易となる。ここで、組立治具１は、作業者が用いるものであるが、作業者の体格は異なるため、指掛け凹部４０の寸法は、より多くの作業者が使い易く、安定した状態で組立治具１を使用することができる寸法に設定しておく必要がある。特に、深さと幅は、作業性への影響が大きく、重要となる。そこで、図２１に示すマトリクスを参酌して、指掛け凹部４０の幅、深さの寸法を決定する。まず、図２１（Ａ）を参照して、手の大きさとの関係から、最も汎用性の高い寸法を割り出す。例えば、幅×深さ×奥行の関係を１５×１０×２０（ｍｍ）とすると、一般的な女性の手であれば問題がないものの、一般的な男性の手では、狭すぎる。また、例えば、幅×深さ×奥行の関係を５５×５×２０（ｍｍ）とすると、男性であっても女性であっても親指を差し入れることができない。これに対し、例えば、幅×深さ×奥行の関係を５５×１０×２０（ｍｍ）とすると、男性であっても女性であっても使用し易い。このような検証を進めていくと、図２１（Ａ）における領域Ａであれば、より多くの作業者が使用できる寸法となる。
【００４４】
つぎに、図２１（Ｂ）を参照して、組立治具１の取り扱い時の安定性に着目した寸法を割り出す。例えば、上述の例のように、幅×深さ×奥行の関係を５５×１０×２０（ｍｍ）とすると、安定性の面からは、好ましくない。すなわち、幅が広すぎ、安定した取り扱いが妨げられている。このように、組立治具１の取り扱いの安定性に着目した検証を進めていくと、図２１（Ｂ）における領域Ｂであれば、安定した作業を実現することができる寸法となる。
【００４５】
以上のように、手の大きさの関係からの検証と取り扱いの安定性からの検証を総合的に判断すると、領域Ａと領域Ｂとを重ね合わせることによって導き出される図２１（Ｃ）に示す領域Ｃ内の寸法に設定することが望ましい。本実施形態では、領域Ｃに含まれる寸法を実現すべく、幅×深さ×奥行の関係を４０×１０×２０（ｍｍ）に設定している。なお、奥行に関しては、一律に２０ｍｍとして評価している。
【００４６】
指掛け凹部４０の寸法を、このような寸法に設定することにより、作業者は、組立治具１を回転させる動作を安定して行うことができる。組立治具１を安定した状態で取り扱うことができる結果、第２の接地面２２を作業台３００へ接地させる際も、組立治具１への衝撃を軽減することができる。なお、指掛け凹部４０の奥側には滑り止め部２２ｄ１が設けられているため、この点も、組立治具１の安定した取り扱いに貢献している。
【００４７】
図２２を参照すると、対向面２３の上縁部２３ａには、基板搭載部７２に基板９５を搭載するときに、基板９５の案内をする案内部２３ｂが設けられている。案内部２３ｂの傾斜角度は、基板９５の先端部、より具体的にセンサ素子９５ｃが搭載された先端部をレンズ収納部７３の天板部７３ａやレンズ７７の入射部７７ａに接触させずにレンズ収納部７３内へ滑り込ませる角度となっている。
【００４８】
つぎに、図２３乃至図２９を参照しつつ、組立治具１を用いたＰＣカードカセット６０の組立作業について説明する。図２３乃至図２５は、いずれもＰＣカードカセット６０の組立手順の一部を示す説明図である。図２３乃至図２５を通して、一連の組立手順が示されている。図２６は案内部２３ｂ上をスライドさせて基板９５をカセット本体７０に搭載する様子を示す説明図である。図２７は基板９５の先端部がレンズ収納部７３に差し込まれる様子を示す説明図である。図２８はカセット本体７０に基板９５が搭載された状態を示す説明図である。図２９は、第３の接地面２４を作業台３００に当接させた状態を示す説明図である。
【００４９】
図２３（Ａ）を参照すると、まず、第１の接地面１１を作業台３００に接地させた組立治具１を準備する。そして、図２３（Ｂ−１）及び（Ｂ−２）に示すように、保持溝５０にカセット本体７０の下端部７５を差し込み、カセット本体７０を保持溝５０に保持させる。作業者は、下端部７５が底部５１に接触するまでカセット本体７０を押し込む。これにより、レンズ収納部７３の頂面７３ａ１と第３の接地面２４とが面一の状態となる。
【００５０】
つぎに、図２３（Ｃ）に示すように、基板９５を取り付ける。このとき、組立治具１は、第１の接地面１１が作業台３００へ接地した状態となっており、基板９５を取り付ける位置が、上側に位置しているため、作業者は、組立作業をし易い。また、基台部１０は、突出部１２を備えているため、安定した立ち状態を維持することができる。基板９５を取り付ける際、まず、図２６に示すように、基板９５を第１壁部２１側に押し付けるとともに、基板９５の下面を案内部２３ｂに沿わせる。そして、図２７に示すように基板９５をスライドさせつつ、その先端部をレンズ収納部７３内へ滑り込ませる。これにより、基板９５の先端部を天板部７３ａやレンズ７７に衝突させることなく、所定の位置にセットすることができる。このときも、作業者は、基板９５の先端部を目視することができる。
【００５１】
基板９５を所定位置にセットした後は、図２３（Ｄ）に示すように、作業者は、ネジ１００を用いて基板９５をカセット本体７０に取り付ける。このとき、工具２１０は、基板９５の上側で使用される状態となる。すなわち、作業者は、基板９５の上方から、目視しながらの作業が可能となる。基台部１０は、突出部１２を備えるため、ネジ締め作業時も組立治具１の安定状態を維持することができる。
【００５２】
基板９５の取り付けが完了した後、作業者は、図２３（Ｅ）で示すように、手２００で組立治具１を掴み、図２４（Ｆ）に示すように組立治具１を持ち上げる。このとき、作業者は、第１壁部２１に設けられた第１凹部２２ａと第２壁部３１に設けられた凹部３３ａに指を掛けて組立治具１を持ち上げることができる。第１凹部２２ａや凹部３３ａは、滑り止めとなるだけでなく、その位置を把握する上でも役立ち、迅速な作業に資する。
【００５３】
作業者は、組立治具１を持ち上げた後、図２４（Ｇ）に示すように、指掛け凹部４０に親指２０１を添えるように持ち替える。そして、図２４（Ｈ）に示すように、手首を返して、第２の接地面２２が下側を向くように回転させる。そして、第２の接地面２２が作業台３００へ接地するように、組立治具１を作業台３００上へ載置する。
【００５４】
そして、図２４（Ｉ）に示すように、側部カバー９０をカセット本体７０に装着する。このとき、側部カバー９０は、カセット本体７０の上方から装着することができる。このため、作業者は、目視しながらの作業を行うことができる。特に、側部カバー９０を装着する際は、爪状部９３の鉤状部９３ａと掛合穴７４ａの位置合わせを行わなければならず、また、差込部９４をレンズ収納部７３へ差し込まなければならない。このため、目視しながらの作業は、作業者の負担を軽減し、迅速な作業に資する。さらに、鉤状部９３ａを掛合穴７４ａに押し込むために上方から押し付ける動作となるため、側部カバー９０の装着作業が容易となる。
【００５５】
側部カバー９０の装着が完了した後、作業者は、図２４（Ｊ）に示すように、組立治具１を引き上げる。側部カバー９０の装着が完了した時点で、組立治具１は、第２の接地面２２が作業台３００へ接地した状態となっているが、作業者は親指２０１を指掛け凹部４０に差し入れることができるので、組立治具１を容易に引き上げることができる。
【００５６】
作業者は、組立治具１を引き上げた後、図２５（Ｋ）に示すように、第３の接地面２４を下側に向ける。ここで、図２８に示すように、第３の接地面２４と頂面７３ａ１とが面一の状態となっているため、第３の接地面２４とともに、頂面７３ａ１も作業台３００へ当接される状態となる。これにより、接地面積が増大することになるので、より安定した状態での作業を行うことができる。
【００５７】
第３の接地面２４及び頂面７３ａ１を作業台３００へ接地した状態で組立治具１を作業台３００へ載置した後、図２５（Ｌ）に示すように底部カバー８０を装着する。底部カバー８０の装着も上方からの作業とすることができる。底部カバー８０は、差込部８２をカセット本体７０と側部カバー９０との間に差し込み、底板部８１を取付ステー７６上に配置する。そして、図２５（Ｍ）に示すように、ネジ１００を用いて、底部カバー８０を取付ステー７６に固定すればよい。このとき、工具２１０は、底部カバー８０の上側で使用される状態となる。すなわち、作業者は、底部カバー８０の上方から、目視しながらの作業が可能となる。また、この際、図２９に示すように、基板９５は、作業台３００に接触していないため、基板９５を破損することがない。
【００５８】
底部カバー８０の装着が完了した後は、図２５（Ｎ）に示すように、完成したＰＣカードカセット６０を組立治具１から取り外せばよい。このとき、ＰＣカードカセット６０は、カセット本体７０の下端部７５が保持溝５０に挟持されて保持されているのみであるので、容易に組立治具１から抜き取り、取り外すことができる。
【００５９】
以上でＰＣカードカセット６０の組立が完了する。作業者は、カセット本体７０への各種部品の取り付けを基本的に上方方向から行うことができる。すなわち、組立作業に含まれるカセット本体７０に対する複数の方向からの作業を一律に上方から行うことができる。この結果、無理な態勢での作業から開放されるため、作業効率が向上する。また、基本的に目視しながらの作業となるため、部品の破損を極力回避することができる。
【００６０】
上記実施形態では、複数の部品を装着することを想定しているが、例えば、単一の部品の装着であっても、複数の方向からの作業が必要となる場合に、本明細書開示の組立治具は有効である。
【００６１】
以上本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００６２】
１  組立治具
１０  基台部
１１  第１の接地面
１２  突出部
２１  第１壁部
２２  第２の接地面
２２ａ  第１凹部
２３ｂ  案内部
２４  第３の接地面
３１  第２壁部
３２ａ  テーパ部
３２ｂ  中間部
３２ｃ  凸部
３３ａ  凹部
４０  指掛け凹部
５０  保持溝（部材保持部）
５１  底部
６０  ＰＣカードカセット
７０  カセット本体
７５  下縁部
８０  底部カバー
９０  側部カバー
９５  基板
３００  作業台
【図１】
2014193496.tif 000003
【図２】
2014193496.tif 000004
【図３】
2014193496.tif 000005
【図４】
2014193496.tif 000006
【図５】
2014193496.tif 000007
【図６】
2014193496.tif 000008
【図７】
2014193496.tif 000009
【図８】
2014193496.tif 000010
【図９】
2014193496.tif 000011
【図１０】
2014193496.tif 000012
【図１１】
2014193496.tif 000013
【図１２】
2014193496.tif 000014
【図１３】
2014193496.tif 000015
【図１４】
2014193496.tif 000016
【図１５】
2014193496.tif 000017
【図１６】
2014193496.tif 000018
【図１７】
2014193496.tif 000019
【図１８】
2014193496.tif 000020
【図１９】
2014193496.tif 000021
【図２０】
2014193496.tif 000022
【図２１】
2014193496.tif 000023
【図２２】
2014193496.tif 000024
【図２３】
2014193496.tif 000025
【図２４】
2014193496.tif 000026
【図２５】
2014193496.tif 000027
【図２６】
2014193496.tif 000028
【図２７】
2014193496.tif 000029
【図２８】
2014193496.tif 000030
【図２９】
2014193496.tif 000031